(57)【要約】【課題】複数個のＬＥＤを一体化して１モジュールとし、このＬＥＤモジュールを複数個用意して、必要に応じた形状、大きさ又は照度等の照明装置を容易に製造することができるＬＥＤ照明装置。【解決手段】複数個のＬＥＤを基板に一体に取り付け、これらの各ＬＥＤを電気的に接続した接続端子１ｃを前記基板の外表面に複数個設けてＬＥＤモジュール１とし、この一個のＬＥＤモジュール１を複数個用意し、取付架台２の反射板２ａに並べて取り付けた。【選択図】        図２
2010165643.tif 000002
【特許請求の範囲】
【請求項１】
複数のＬＥＤを基板に配設して一体化したものを1個のＬＥＤモジュールとし、このＬＥＤモジュールの各ＬＥＤを電気的に接続した接続端子を当該ＬＥＤモジュールの外表面に設け、このＬＥＤモジュールが複数個、取付架台に並べて取り付けられたことを特徴とする、ＬＥＤ照明装置。
【請求項２】
前記各ＬＥＤモジュールの外表面に設けた接続端子は複数箇所に設けられていることを特徴とする、請求項１に記載のＬＥＤ照明装置。
【請求項３】
前記ＬＥＤモジュールの取付架台への取り付けは着脱自在としたことを特徴とする、請求項１又は２に記載のＬＥＤ照明装置。
【請求項４】
前記取付架台は既存の蛍光灯器具であることを特徴とした、請求項１、２又は３のいずれかに記載のＬＥＤ照明装置とした。
【請求項５】
前記各ＬＥＤモジュールの各ＬＥＤとの接続配線は、取付架台に設けられていることを特徴とする、請求項１、２３又は４のいずれかに記載のＬＥＤ照明装置。
【請求項６】
前記各ＬＥＤモジュールを取付架台に取り付けると、前記各ＬＥＤモジュールの接続端子が、取付架台の配線端子と自動的に接続されることを特徴とする、請求項５に記載のＬＥＤ照明装置。
【請求項７】
前記取付架台の各ＬＥＤへの接続配線端にＡＣ／ＤＣ変換器を設けたことを特徴とする、請求項１、２、３、４、５又は６のいずれかに記載のＬＥＤ照明装置。
【発明の詳細な説明】
【技術分野】
【０００１】
この発明は、発光ダイオード（以下ＬＥＤと言う）を用いたＬＥＤ照明装置に関するもので、より詳しく説明すると、要求される照明装置の形状、大きさ、照度等に合わせて簡単に製造、取り付けすることが出来るＬＥＤ照明装置に関するものである。
【背景技術】
【０００２】
従来、白熱球に比べ照度が高い割合に、電力消費の少ない蛍光灯照明が多数使用されているが、より消費電力が少なく、耐久性の高いＬＥＤによる照明装置が開発されている。
【０００３】
これらのＬＥＤ照明装置は、従来の蛍光灯からの取替えコストを低く抑えるため蛍光灯照明器具のソケットをそのまま利用したものが多い。例えば、図１２に示すように、蛍光灯の形状と同一の管球内にＬＥＤを多数並べたもの。また、図１３に示すように、蛍光灯と同一の管球の下面に多数のＬＥＤを並べたものがある。特許文献１は図１２に示す構成の照明装置の一例である。
【０００４】
【特許文献１】特開２００１−３５１４０２号公報
【発明の開示】
【発明が解決しようとする課題】
【０００５】
しかしながら、前記図１２及び図１３のものは、既存の蛍光灯管球に形状やサイズが限定され、ＬＥＤ照明のレイアウトや照度を自由にできない問題点がある。
【０００６】
この発明はこのような従来技術を考慮したものであって、複数個のＬＥＤを一体化して１モジュールとし、必要に応じた形状、大きさ又は照度の照明装置を容易に製造し、必要個所に取り付けることができるＬＥＤ照明装置を提供することを目的とする。
【課題を解決するための手段】
【０００７】
そこで、請求項１の発明は、複数のＬＥＤを基板に配設して一体化したものを1個のＬＥＤモジュールとし、このＬＥＤモジュールの各ＬＥＤを電気的に接続した接続端子を当該ＬＥＤモジュールの外表面に設け、このＬＥＤモジュールが複数個、取付架台に並べて取り付けられたＬＥＤ照明装置とした。
【０００８】
また、請求項２の発明は、請求項１の発明において、各ＬＥＤモジュールの外表面に設けた接続端子は複数箇所に設けられているＬＥＤ照明装置とした。また、請求項３の発明は、請求項１又は２の発明において、ＬＥＤモジュールの取付架台への取り付けを着脱自在としたＬＥＤ照明装置とした。
【０００９】
また、請求項４の発明は、請求項１、２又は３のいずれかの発明において、前記取付架台は既存の蛍光灯器具であるＬＥＤ照明装置とした。また、請求項５の発明は、請求項１、２、３又は４のいずれかの発明において、各ＬＥＤモジュールの各ＬＥＤとの接続配線は、取付架台に設けられているＬＥＤ照明装置とした。
【００１０】
また、請求項６の発明は、請求項５の発明において、前記各ＬＥＤモジュールを取付架台に取り付けると、前記各ＬＥＤモジュールの接続端子が、取付架台の配線端子と自動的に接続されるＬＥＤ照明装置とした。また、請求項７の発明は、請求項１、２、３、４、５又は６のいずれかの発明において、前記取付架台の各ＬＥＤへの接続配線端にＡＣ／ＤＣ変換器を設けたＬＥＤ照明装置とした。
【発明の効果】
【００１１】
請求項１の発明によれば、ＬＥＤモジュールの取付架台への取り付け個数により、必要な照度の照明装置とすることが出来る。また、当該照明装置を取り付ける用途、場所に合わせて取付架台の大きさや形状を選び、この取付架台に必要な照度又は個数のＬＥＤモジュールを任意の形状に並べて取り付けることが出来る。さらにＬＥＤは赤色、青色、緑色と種々の色の照明にすることが出来、従来の蛍光灯より、用途を広げることが出来る。従って、任意の形状、大きさ、色彩の照明装置を容易に取り付けることが出来る。また、曲面部等を含む任意の場所に当該照明装置を取り付けることができる。
【００１２】
また、請求項２の発明は、各ＬＥＤモジュールの複数箇所に接続端子が設けられているため、複数のＬＥＤモジュールを取付架台に種々の方向に並べても、配線接続が容易である。また、請求項３の発明では、ボルトや係止爪等により着脱自在にＬＥＤモジュールを取付架台に取り付けることができるため、一つのＬＥＤモジュールが点灯しなくなった場合にも、容易に新しいＬＥＤモジュールに取り替えることが出来る。
【００１３】
また、請求項４の発明では、既存の蛍光灯照明器具を用いるため、天井の穴開け加工なしで、当該ＬＥＤ照明装置を取り付けることが出来る。また、請求項５の発明によれば、各ＬＥＤモジュールの各ＬＥＤとの接続配線は、取付架台に設けられているので、各ＬＥＤモジュールを取付架台に取り付け、配線を接続すればＬＥＤ照明を使用でき、取り付けが極めて簡単にできる。
【００１４】
また、請求項６の発明では、各ＬＥＤモジュールを取付架台に取り付ければ、自動的に各ＬＥＤモジュールとの配線が接続され、さらに取り付けが容易となる。また、請求項７の発明では、当該照明装置にＡＣ／ＤＣ変換器が設けられているため、直接、商用電源に接続することができる。
【発明を実施するための最良の形態】
【００１５】
この発明は、複数のＬＥＤを基板に配設して一体化したものを1個のＬＥＤモジュールとし、このＬＥＤモジュールの各ＬＥＤを電気的に接続した接続端子を当該ＬＥＤモジュールの外表面に設け、使用用途や使用場所に応じてこのＬＥＤモジュールの使用個数、レイアウト等を決めて取付架台に並べて取り付けられたＬＥＤ照明装置とした。
【実施例１】
【００１６】
以下、この発明の実施例を図に基づいて説明する。
図１は、この発明のＬＥＤモジュールの斜視図である。このＬＥＤモジュール１は、複数個のＬＥＤ１ａを基板１ｂに一体に取り付け、これらの各ＬＥＤを電気的に接続した接続端子１ｃを当該ＬＥＤモジュール１の外表面に複数個設けている。そして、この一個のＬＥＤモジュール１で、例えば、２０Ｗの蛍光灯相当の照度を有するようにする。
【００１７】
図２は、４個の前記ＬＥＤモジュール１を取付架台２の反射板２ａに取り付けた状態を示す斜視図であり、各モジュール１の取付架台２への取り付けは、取付架台２の反射面２ａにボルト穴（図示省略）を設け、各ＬＥＤモジュール１を取付架台２に当てて、この上からボルト（図示省略）をボルト穴に締め付けて、各ＬＲＤモジュールを取り付ける。また、これらの各ＬＥＤモジュール１の取付架台２への取り付けは、接着剤により取り付けても良い。また、この取付架台２は、既存の蛍光灯照明器具の取付架台でも、新設のものでもよい。
【実施例２】
【００１８】
また、図３は既設の蛍光灯照明装置の取付架台３に前記ＬＥＤモジュール１を取り付けた状態を示す断面図である。この場合、前記取付架台３の反射板３ａは凹湾曲しており、各ＬＥＤモジュール１を脚台４に取り付け、当該脚台４を前記凹湾曲した反射板３ａに接着剤で固定したものである。
【実施例３】
【００１９】
また、図４は既設の蛍光灯照明装置の他の形状の取付架台５に前記ＬＥＤモジュール１を取り付けた状態を示す断面図である。この場合、前記取付架台５の反射板５ａは凹溝を有し、当該凹溝に各ＬＥＤモジュール１を接着剤又はボルトにより直に取り付けたものである。
【００２０】
図５は、前記図２の、複数のＬＥＤモジュール１を取り付けた取付架台２を複数個設け、これらの各ＬＥＤモジュール１を配線で電気的に接続し、この配線の一端にＡＣ／ＤＣ変換器６を設け、当該ＡＣ／ＤＣ変換器６を商用電源７に接続したもので、これによりＬＥＤ照明装置としたものである。この場合、各ＬＥＤモジュール１相互の配線は外部に露出している。
【００２１】
図６は、前記図５と同様のＬＥＤ照明装置を天井板８に取り付け、各ＬＥＤモジュール１相互の配線を天井裏で行っているものである。
【実施例４】
【００２２】
また、図７の（Ａ）、（Ｂ）は、前記ＬＥＤモジュール１を着脱自在に取り付け可能な取付架台９の側面断面図及び正面断面図をそれぞれ示し、図８はこの取付架台９に取り付けるＬＥＤモジュール１の正面断面図を示す。
【００２３】
前記取付架台９は下面が開口した箱型であり、中空嵌合部９ａの両側面に、下端に爪を有する係止脚９ｂを有し、また、前記中空部９ａの上面から、複数の雄型端子９ｃを中空嵌合部９ａ内に突出させている。そしてこれらの雄型端子９ｃは取付架台９の内部を通して、取付架台９の外表面に設けた複数箇所の雌型端子９ｄと接続されている。従って、これらの各雌型端子９ｄの一つ又は複数に、先端にコネクターを有する配線１０を複数の方向から接続可能である。
【００２４】
また、図８のＬＥＤモジュール１は前記取付架台９の中空嵌合部９ａに嵌合可能な箱型であり、その側面及び上面に雌型の接続端子１ｃを夫々設けている。従って、これらの各接続端子１ｃに、先端にコネクターを有する配線１０を複数の方向から接続することが出来る。
【００２５】
そして、当該ＬＥＤモジュール１を前記取付架台９の中空嵌合部９ａに嵌めると、取付架台の雄型端子９ｃがＬＥＤモジュール１の雌型の接続端子１ｃに接続され、また、一旦伸びた各係止脚９ｂがＬＥＤモジュール１の側面に圧着し、下端の爪がＬＥＤモジュール１の下面に引っ掛かる構成と成っている。このように前記取付架台９の中空嵌合部９ａ内にＬＥＤモジュール１を嵌めると、ＬＥＤモジュール１の接続端子１ｃが取付架台９の雄型端子９ｃに自動的に接続される構成となっている。また、図示は省略したが、この取付架台９には図７と同様な中空嵌合部９ａを複数個設けており、複数の各ＬＥＤモジュール１を着脱自在に嵌合させ、それと同時に取付架台９の配線と電気的に接続させる構成となっている。
【００２６】
また、図９は、多数のＬＥＤモジュール１を取付架台１１に着脱自在に取り付けたＬＥＤ照明装置の底面図を示し、この取付架台１１は、各ＬＥＤモジュール１が着脱自在に係止される、前記図７の取付架台９と同様な構成の中空嵌合部１１ａを多数設けたもので、各中空部１１ａの内周に露出した端子相互を配線で接続し、当該配線を取付架台１１の内部に設けたものである。従って、各中空嵌合部１１ａに嵌めたＬＥＤモジュール１は全て取付架台１１の配線と電気的に接続される構成と成っている。また、単位面積当たりの明るさを大きくするためには、取り付けるＬＥＤモジュール１の数を多くすれば良いので、照明広告塔の明るさを均一的に増加し、かつ、広告塔に明暗部を生じないような照明広告塔とすることができる。従来の蛍光灯による照明広告塔では、蛍光灯の寿命が短いことにより、明暗部が生じやすかったが、ＬＥＤは寿命が長いので、このような事態を回避することができる。
【００２７】
このようにこの発明のＬＥＤ照明装置は、複数のＬＥＤを一体化してＬＥＤモジュールとし、このＬＥＤモジュールを複数個取付架台に取り付けるため、容易に種々の場所に取り付けることが出来る。従って、建物の天井面ばかりでなく、側壁や床面にも容易に取り付けることができ、足元等の下方に取り付けることが適した避難誘導灯にも使用できる。また、上記実施例では複数のＬＥＤモジュール１を取付架台２等に直線的に又は四角形形状に並べたが、これらに限らず、複数のＬＥＤモジュール１を円形や曲線形状に並べた照明装置とすることができる。図１０は、多数のＬＥＤモジュール１を円形状に配置したものであり、図１１は、ドーム状の天井にＬＥＤモジュール１付きの取付架台２を取り付けたところを示したものである。円形状の場合は、円形状にＬＥＤモジュール１を配置すれば良いし、ドーム状の場合は、ドーム球面のアールの程度に合わせた形状の取付架台２を作成し、取付架台２に、図３に示したような脚台４を介在させたＬＥＤモジュール１を取り付ければ良い。
【００２８】
それ故、室内の従来の蛍光灯に変えた照明装置として使用するばかりでなく、公共施設内や駅構内の案内表示灯、広告灯、避難誘導灯等に使用することができ、その際、ＬＥＤの色彩を赤色、緑色、青色等にすることが出来、より顕著な照明装置とすることが出来る。
【図面の簡単な説明】
【００２９】
【図１】この発明の実施例１のＬＥＤモジュールの斜視図である。
【図２】この発明の実施例１の複数のＬＥＤモジュールを取付架台の反射板に取り付けた状態の斜視図である。
【図３】この発明の実施例２の、既存の蛍光灯照明器具のソケットに取り付けた断面図である。
【図４】この発明の実施例３の、既存の他の蛍光灯照明器具のソケットに取り付けた断面図である。
【図５】この発明の実施例１の複数のＬＥＤモジュールを取り付けた取付架台を複数並べたＬＥＤ照明装置の底面図である。
【図６】この発明の実施例１の複数のＬＥＤモジュールを取り付けた取付架台を天井板に取り付けたＬＥＤ照明装置の側面断面図である。
【図７】この発明の実施例４のＬＥＤモジュールが着脱自在な取付架台の正面図及び側面図であり、（Ａ）図は正面図、（Ｂ）図は側面断面図である。
【図８】この発明の実施例１の取付架台に着脱自在なＬＥＤモジュールの側面断面図である。
【図９】この発明の実施例４のＬＥＤモジュールが着脱自在な取付架台を用いたＬＥＤ照明装置の底面図である。
【図１０】この発明の実施例１の多数のＬＥＤモジュールを適宜の取付板に円形状に配置した正面図である。
【図１１】この発明の実施例１の多数のＬＥＤモジュール付きの取付架台をドーム状の天井に取り付けた状態を示す正面図である。
【図１２】従来の蛍光灯管球を利用したＬＥＤ照明器具の斜視図である。
【図１３】従来の蛍光灯管球を利用した他のＬＥＤ照明器具の斜視図である。
【符号の説明】
【００３０】
１      ＬＥＤモジュール            １ａ  ＬＥＤ
２      取付架台                    ２ａ    反射板
３      取付架台                    ３ａ    反射板
４      却台                        ５      取付架台
５ａ    反射板                      ６      ＡＣ／ＤＣ変換器
７      商用電源                    ８      天井板
９      取付架台                    ９ａ    中空嵌合部
９ｂ    係止脚                      ９ｃ    雄型端子
９ｄ    雌型端子                  １０      配線
１１      取付架台                １１ａ    中空嵌合部      
【図１】
2010165643.tif 000003
【図２】
2010165643.tif 000004
【図３】
2010165643.tif 000005
【図４】
2010165643.tif 000006
【図５】
2010165643.tif 000007
【図６】
2010165643.tif 000008
【図７】
2010165643.tif 000009
【図８】
2010165643.tif 000010
【図９】
2010165643.tif 000011
【図１０】
2010165643.tif 000012
【図１１】
2010165643.tif 000013
【図１２】
2010165643.tif 000014
【図１３】
2010165643.tif 000015